(57)【要約】  【課題】  スリット巻のサドルコイルを備えた偏向ヨークにおいても、簡単な構成で、上下歪に有利な磁界を発生でき、かつ偏向電力も低減できるカラー受像管装置を提供する。  【解決手段】  偏向ヨーク６は、垂直偏向コイル８と水平偏向コイル７と絶縁枠１０とを含んでおり、水平偏向コイル７は、サドル型のコイルであり、スクリーン面２ａ側のベンド部は、陰極線管１の管軸回りに絶縁枠１０の外側に巻回されており、管軸方向において、スクリーン面２ａ側の第１の巻線部分１３ａと、第１の巻線部分１３ａより電子銃側５に配置された第２の巻線部分１３ｂとを含んでおり、第２の巻線部分１３ｂは、突出部１５ａ、１５ｂにより位置が規制されている。【選択図】  図１
2005346936.tif 000002
【特許請求の範囲】
【請求項１】
内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、
前記偏向ヨークは、垂直偏向コイルと水平偏向コイルと絶縁枠とを含んでおり、
前記絶縁枠は、前記絶縁枠の外側に突出した突出部が設けられており、前記陰極線管の管軸方向において、前記スクリーン面側から前記電子銃側に向かうにつれて、前記管軸に近づくように傾斜しており、
前記水平偏向コイルは、前記絶縁枠に巻回されており、主偏向に寄与するコーン部と、前記コーン部同士をつなぐ前記スクリーン面側のベンド部と前記電子銃側のベンド部とを備えたサドル型のコイルであり、
前記スクリーン面側のベンド部は、前記管軸回りに前記絶縁枠の外側に巻回されており、前記管軸方向において、前記スクリーン面側の第１の巻線部分と、前記第１の巻線部分より前記電子銃側に配置された第２の巻線部分とを含んでおり、前記第２の巻線部分は、前記突出部により位置が規制されていることを特徴とするカラー受像管装置。
【請求項２】
前記突出部は、前記第２の巻線部分と前記垂直偏向コイルとの絶縁を兼ねている請求項２に記載のカラー受像管装置。
【請求項３】
前記絶縁枠を前記管軸と直交する垂直軸方向から見たときにおいて、前記第１の巻線部分の前記スクリーン面側の端部と前記第２の巻線部分のスクリーン面側の端部とを結ぶ線と、前記管軸と直交する水平軸とのなす角をα、前記第１の巻線部分の前記電子銃側の端部と前記第２の巻線部分の前記電子銃側の端部とを結ぶ線と、前記水平軸とのなす角をβとすると、前記角度α及びβは５０゜以内である請求項１又は２に記載のカラー受像管装置。
【発明の詳細な説明】
【技術分野】
【０００１】
本発明は、テレビジョンやコンピュータディスプレイ等に用いられるカラー受像管装置に関し、偏向ヨークの構造に関する。
【背景技術】
【０００２】
カラー受像管装置は、電子銃及びスクリーン面を含む陰極線管と偏向ヨークとを備えている。電子銃から発せられた３本の電子ビームは、偏向ヨークの発生する水平、垂直偏向磁界により偏向され、スクリーン面上を水平、垂直走査することにより、カラー画像が表示されることになる。
【０００３】
偏向ヨークは、例えばサドル型の水平偏向コイルとトロイダル型の垂直偏向コイルとを備えたものがある。サドル型の水平偏向コイルは、大別すると主偏向に寄与するコーン部と、スクリーン側及び電子銃側のベンド部とに分けることができる。一般には、管軸方向においてコーン部領域とベンド部領域とは分離している。
【０００４】
ここで、カラー受像管装置におけるラスター歪の性能は、その要求がますます厳しくなる傾向にある。上下ラスター歪のピンクッション歪を低減させる技術の一例として、サドル型の水平偏向コイルのうち、スクリーン側ベンド部の形状に特徴のあるものがある（例えば特許文献１参照）。
【０００５】
図６に従来のサドル型の水平偏向コイルの一例の平面図を示し、図７に図６に示したサドル型水平コイルの上側半分の側面図を示している。図６、７に示した水平偏向コイル１００は、金型巻きされたサドル型の水平偏向コイルであり、特許文献１に提案されているサドル型の水平偏向コイルと同様の構成である。
【０００６】
図６、７において、Ｘ軸はスクリーン面の画面水平方向の軸、Ｙ軸は画面垂直方向の軸、Ｚ軸は管軸である。また、Ｚ＝０の位置は、リファレンスラインの位置であり、スクリーン側を正方向としている。図６において、Ｚ＝−５５〜−５０ｍｍの範囲１０１が電子銃側ベンド部領域、Ｚ＝−５０〜２３ｍｍの範囲１０２がコーン部領域、Ｚ＝２３〜３０ｍｍの範囲がスクリーン側ベンド部領域１０３である。
【０００７】
図６、７に示した構成は、スクリーン側ベンド部領域１０３には、Ｚ＝１５ｍｍの位置まで変位した部分１０３ａを含んでいる。すなわち、スクリーン側ベンド部領域１０３に、コーン部領域１０２に跨った部分１０３ａを形成することにより、スクリーン側ベンド部領域１０３をできる限り、Ｙ方向でファンネルに近づける（Ｚ軸に近づける）ようにしている。このことにより、上下のピンクッション歪を低減する効果が得られる。
【０００８】
さらに、この形状では、上下ピンクッション歪の改善効果以外にも、偏向に寄与しないコイル部分でコイル形状が小さくなるため、結果として、インダクタンスが小さくなり、偏向電力低減効果も得られる。
【特許文献１】特開平２−１４４８３２号公報
【発明の開示】
【発明が解決しようとする課題】
【０００９】
しかしながら、前記のような従来の技術は、金型巻線でプレス通電によりコイルを固めて形成したサドルコイルを前提としたものであり、絶縁枠にコイルを巻回したスリット巻のサドルコイルにそのまま適用できるものではなかった。
【００１０】
すなわち、スリット巻のサドルコイルは、コイル自体が固められて形成されたものではないため、金型巻線と同様にしてコイルを加圧変形させてコーン部領域１０１に跨った部分を形成することはできなかった。
【００１１】
本発明は、前記のような従来の問題を解決するものであり、スリット巻のサドルコイルを備えた偏向ヨークにおいても、簡単な構成で、上下歪に有利な磁界を発生でき、かつ偏向電力も低減できるカラー受像管装置を提供することを目的とする。
【課題を解決するための手段】
【００１２】
前記目的を達成するために、本発明に係るカラー受像管装置は、内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、前記偏向ヨークは、垂直偏向コイルと水平偏向コイルと絶縁枠とを含んでおり、前記絶縁枠は、前記絶縁枠の外側に突出した突出部が設けられており、前記陰極線管の管軸方向において、前記スクリーン面側から前記電子銃側に向かうにつれて、前記管軸に近づくように傾斜しており、前記水平偏向コイルは、前記絶縁枠に巻回されており、主偏向に寄与するコーン部と、前記コーン部同士をつなぐ前記スクリーン面側のベンド部と前記電子銃側のベンド部とを備えたサドル型のコイルであり、
前記スクリーン面側のベンド部は、前記管軸回りに前記絶縁枠の外側に巻回されており、前記管軸方向において、前記スクリーン面側の第１の巻線部分と、前記第１の巻線部分より前記電子銃側に配置された第２の巻線部分とを含んでおり、前記第２の巻線部分は、前記突出部により位置が規制されていることを特徴とする。
【発明の効果】
【００１３】
本発明によれば、スリット巻のサドルコイルを備えた偏向ヨークにおいても、簡単な構成で、上下歪に有利な磁界を発生でき、かつ偏向電力も低減できる。
【発明を実施するための最良の形態】
【００１４】
本発明は、絶縁枠に設けた突出部により、水平偏向コイルに電子銃側に変位した巻線部分を形成できるので、スリット巻のサドルコイルを備えた偏向ヨークにおいても、簡単な構成で、上下歪に有利な磁界を発生でき、かつ偏向電力も低減できる。
【００１５】
前記本発明のカラー受像管装置においては、前記突出部は、前記第２の巻線部分と前記垂直偏向コイルとの絶縁を兼ねていることが好ましい。この構成によれば、水平偏向コイルのベンド部と垂直偏向コイルとの絶縁が確実になり、カラー受像管装置の信頼性を高めることができる。
【００１６】
また、前記絶縁枠を前記管軸と直交する垂直軸方向から見たときにおいて、前記第１の巻線部分の前記スクリーン面側の端部と前記第２の巻線部分のスクリーン面側の端部とを結ぶ線と、前記管軸と直交する水平軸とのなす角をα、前記第１の巻線部分の前記電子銃側の端部と前記第２の巻線部分の前記電子銃側の端部とを結ぶ線と、前記水平軸とのなす角をβとすると、前記角度α及びβは５０゜以内であることが好ましい。この構成によれば、巻線が容易であり水平偏向コイルのベンド部の形状を正確に再現することができる。
【００１７】
以下、本発明の一実施の形態について、図面を参照しながら説明する。図１は、本発明の一実施の形態に係るカラー受像管装置の側面図及び部分断面図である。本図に示したカラー受像管装置は、陰極線管１と偏向ヨーク６とを備えている。陰極線管１は、外囲器及びこれに付属した構成部品とを備えている。外囲器は、内面にスクリーン面２ａが形成された前面平面パネル２とファンネル３とで構成されている。ファンネル３のネック部４内には、３本の電子ビームを放出する電子銃５が設置されている。また、ファンネル３の外部を囲むように、偏向ヨーク６を装着している。
【００１８】
偏向ヨーク６は、サドル型の水平偏向コイル７とトロイダル型の垂直偏向コイル８とフェライトコア９とを備えている。水平偏向コイル７は、例えば樹脂製の絶縁枠１０にコイルを巻回するスリット巻きにより形成されている。垂直偏向コイル８は、フェライトコア９に巻回して形成されている。
【００１９】
スクリーン面２ａは、蛍光体層で形成されており、蛍光体層は、青、緑、赤に発光するドット状又はストライプ状の３色の蛍光体層である。スクリーン面２ａに対向してシャドウマスク１１が配置されている。シャドウマスク１１には、多数の電子ビーム通過孔が形成されている。
【００２０】
３本の電子ビームは、偏向ヨーク６の発生する水平、垂直偏向磁界により偏向され、シャドウマスク１１を介してスクリーン面２ａ上を水平、垂直走査することにより、カラー画像が表示されることになる。
【００２１】
以下の説明において、Ｚ軸は陰極線管１の管軸のことであり、スクリーン面２ａ側を正方向とする。Ｚ＝０の位置は、リファレンスライン（偏向基準位置）の位置である。リファレンスラインとは、スクリーン面２ａの対角線端からＺ軸上の任意の点に連結される２つの直線が形成する角度がその陰極線管の偏向角と同一になるような管軸上の点（偏向中心）を通りＺ軸と直交する線のことである。また、Ｘ軸はＺ＝０を通るスクリーン面２ａの画面水平方向の軸、Ｙ軸はＺ＝０を通る画面垂直方向の軸とする。
【００２２】
図２に、水平偏向コイル７の巻回された絶縁枠１０の平面図を示し、図３に図２に示した絶縁枠１０の上側半分の側面図を示している。水平偏向コイル７は、Ｚ＝Ｌ１〜Ｌ６の範囲内において、絶縁枠１０に巻回されている。このうち、Ｚ＝Ｌｌ〜Ｌ２の範囲が電子銃側ベンド部領域１１、Ｚ＝Ｌ２〜Ｌ３の範囲がコーン部領域１２、Ｚ＝Ｌ３〜Ｌ６の範囲がスクリーン側ベンド部領域１３である。
【００２３】
スクリーン側ベンド部領域１３及び電子銃側ベンド部領域１１においては、水平偏向コイル７はＺ軸回りに絶縁枠１０に巻回されている。コーン部領域１２においては、水平偏向コイル７はＺ軸方向に絶縁枠１０の内側（ファンネル３側）に巻回されている。図２の破線がコーン部領域１２における巻線部分の端部であり、本図の例では、Ｘ軸方向の両側に分離して配置されている。
【００２４】
コーン部領域１２における水平偏向コイル７は、主偏向に寄与する部分であり、スクリーン側ベンド部領域１３及び電子銃側ベンド部領域１１における水平偏向コイル７は、分離して異なる位置に巻回されたコーン部領域１２における水平偏向コイル７をつなぐ巻線部分である。
【００２５】
スクリーン側ベンド部領域１３における水平偏向コイル７は、第１の巻線部分１３ａ、第２の巻線部分１３ｂ、第３の巻線部分１３ｃに大別される。第１の巻線部分１３ａは、最もスクリーン側にある部分である。第２の巻線部分１３ｂは、最も電子銃側にありＸ軸と略平行である。第３の巻線部分１３ｃは、第１の巻線部分１３ａと第２の巻線部分１３ｂとをつなぐ巻線部分である。第１の巻線部分１３ａは、Ｚ＝Ｌ５〜Ｌ６の範囲に配置されている。第１の巻線部分１３ａより電子銃側にある第２の巻線部分１３ｂは、Ｚ＝Ｌ３〜Ｌ４の範囲に配置されている。
【００２６】
図４は、絶縁枠１０をスクリーン面２ａ側から見た要部斜視図である。絶縁枠１０のスクリーン面２ａ側には、突出部１４ａ、１４ｂが形成されており、突出部１４ａ、１４ｂが形成された位置より電子銃５側には、突出部１５ａ、１５ｂが形成されている。これらの各突出部は、絶縁枠１０の外側に、すなわちＺ軸から遠ざかる方向に突出している。突出部１４ａと１４ｂとの間には溝１６が、突出部１５ａと１５ｂとの間には溝１７がそれぞれ形成されている。この溝１６に第１の巻線部分１３ａが配置され、溝１７の位置に第２の巻線部分１３ｂが配置され、水平偏向コイル７の位置が規制される。
【００２７】
図５は、絶縁枠１０のスクリーン側端部の頂部の拡大図である。本図は、絶縁枠１０をＸ軸方向から見た側面図の一部であり、図３のＡ部に相当する。１対の突出部１５ａ及び１５ｂは、１対の突出部１４ａ及び１４ｂより電子銃側にあることが分かる。図５において２点鎖線は、第１の巻線部分１３ａと第２の巻線部分１３ｂのＺ軸方向における位置を同じにした場合の突出部及び突出部間に形成される溝の底面の架空線を示している。
【００２８】
絶縁枠１０は、Ｚ軸方向について見ると、スクリーン側から電子銃側に向かうにつれて、Ｚ軸に近づくように傾斜している。このため、突出部１５ａと１５ｂとの間に形成される溝１７の底面１７ａの位置は、破線で示した底面１８の位置よりＺ軸側にある。すなわち、Ｙ軸方向において、底面１７の位置は底面１８の位置より低い位置にある。
【００２９】
したがって、第２の巻線部分１３ｂの位置は、第２の巻線部分１３ｂが第１の巻線部分１３ｂとＺ軸方向において同じ位置にある場合と比べ、Ｚ軸に近づくことになる。このことにより、画面上下のピンクッション歪を低減する効果が得られる。また、第２の巻線部分１３ｂの位置における絶縁枠１０の外周面の径寸法は、第２の巻線部分１３ｂが第１の巻線部分１３ａと管軸方向において同じ位置にある場合と比べ小さくなる。このため、偏向に寄与しないベンド部における水平偏向コイル７の巻線量も減らすことができ、インダクタンスが小さくなり、偏向電力低減効果も得られる。
【００３０】
すなわち、この構成によれば、簡単な構造で、ベンド部領域の一部をコーン部領域に変位させた第２の巻線部分１３ｂを形成することができる。この場合、水平偏向コイル７の位置は突出部で規制されるので、水平偏向コイル７の巻回も容易であり、生産性を低下させることもない。また、突出部間の溝の位置に水平偏向コイル７を巻回すれば、絶縁枠１０の傾斜面により、第２の巻線部分１３ｂは第１の巻線部分１３ａに比べＺ軸に近づくことになり、特別な工程も必要としない。
【００３１】
図２において、Ｌ１〜Ｌ６の値は、例えばＬ１＝−５５ｍｍ、Ｌ２＝−５０ｍｍ、Ｌ３＝１５ｍｍ、Ｌ４＝２２ｍｍ、Ｌ５＝２３ｍｍ、Ｌ６＝３０ｍｍである。また、第２の巻線の位置の突出部１５ａ、１５ｂのうち、電子銃側の突出部１５ｂは、図１に示したように、垂直偏向コイル８との絶縁を兼ねることができる。
突出部１５ａ、１５ｂは、例えば厚さ１ｍｍ、図２に示したＸ方向長さＬ７＝５０ｍｍ、図３に示した絶縁枠１０の外表面からの高さＨ１＝１７ｍｍである。
【００３２】
また、本実施の形態は例えば、８６ｃｍ型でアスペクト比１６：９の平面スクリーンを備え、偏向角１００゜のカラー受像管装置に適用できる。このようなカラー受像管装置に、前記の寸法例の絶縁枠を用いたところ、上下ピンクッション歪が２ｍｍ、水平偏向電力が３％低減していることを確認できた。
【００３３】
ここで、図２のように絶縁枠１０をＹ軸方向から見たときにおいて、第１の巻線部分１３ａのスクリーン側の端部１９と第２の巻線部分１３ｂのスクリーン側の端部２０とを結ぶ線とＸ軸とのなす角をαとする。また、第１の巻線部分１３ａの電子銃側の端部２１と第２の巻線部分１３ｂの電子銃側の端部２２とを結ぶ線とＸ軸とのなす角をβとする。
【００３４】
この場合、角度α及びβは５０゜以内であれば、ベンド部形状を正確に再現させる巻線が容易であることも確認できた。角度α及びβは、例えば３０゜とすることができる。
【００３５】
なお、各突出部はそれぞれ一つの板状の形状である例で説明したが、複数の分離した突出部を所定間隔で配置したものでもよい。
【００３６】
また、各突出部は、絶縁枠と一体に形成されている例で説明したが、絶縁枠とは別個の突出部を絶縁枠に取り付けたものでもよい。
【産業上の利用可能性】
【００３７】
以上のように、本発明のカラー受像管装置によれば、スリット巻のサドルコイルを備えた偏向ヨークにおいても、簡単な構成で、上下歪に有利な磁界を発生でき、かつ偏向電力も低減できるので、テレビジョンやコンピュータディスプレイ等に用いられるカラー受像管装置に有用である。
【図面の簡単な説明】
【００３８】
【図１】本発明の一実施の形態に係るカラー受像管装置の側面図及び部分断面図。
【図２】本発明の一実施の形態に係る水平偏向コイルの巻回された絶縁枠の平面図。
【図３】図２に示したサドル型水平コイルの上側半分の側面図。
【図４】本発明の一実施の形態に係る絶縁枠をスクリーン側から見た要部斜視図。
【図５】本発明の一実施の形態に係る絶縁枠のスクリーン側端部の要部の拡大図。
【図６】従来の水平偏向コイルの一例の平面図。
【図７】図６に示した水平偏向コイルの上側半分の側面図。
【符号の説明】
【００３９】
１  陰極線管
２  パネル
２ａ  スクリーン面
３  ファンネル
４  ネック部
５  電子銃
６  偏向ヨーク
７  垂直偏向コイル
８  垂直偏向コイル
１０  絶縁枠
１３ａ  第１の巻線部分
１３ｂ  第２の巻線部分
１４ａ，１４ｂ，１５ａ，１５ｂ  突出部
【図１】
2005346936.tif 000003
【図２】
2005346936.tif 000004
【図３】
2005346936.tif 000005
【図４】
2005346936.tif 000006
【図５】
2005346936.tif 000007
【図６】
2005346936.tif 000008
【図７】
2005346936.tif 000009